(57)【要約】【課題】２又プラグなどを用いることなく所望のコンセントへの接続を可能にするＰＬＣモデムを提供する。【解決手段】電力線にデータを重畳して通信を行うための電力線通信モデムＭ１。電力線通信のための回路部５を収納するハウジング１の一壁面に、コンセント差込口に差し込み可能なプラグ２が設けられるとともに、当該ハウジング１の他の壁面に、サービスコンセントの差込口４が設けられている。  【選択図】      図１
2008236291.tif 000002
【特許請求の範囲】
【請求項１】
電力線にデータを重畳して通信を行うための電力線通信モデムであって、電力線通信のための回路部を収納するハウジングの一壁面に、コンセント差込口に差し込み可能なプラグが設けられるとともに、当該ハウジングの他の壁面に、サービスコンセントの差込口が設けられていることを特徴とする電力線通信モデム。
【請求項２】
電力線にデータを重畳して通信を行うための電力線通信モデムであって、電力線通信のための回路部を収納するハウジングの一壁面から電源コードが延設されるとともに当該電源コードの先端に電源プラグが設けられており、且つ、前記ハウジングの他の壁面に、サービスコンセントの差込口が設けられていることを特徴とする電力線通信モデム。
【請求項３】
前記サービスコンセントの差込口と電源との間に、電力線通信で使用する周波数帯のノイズを遮断又は減衰させるためのノイズフィルターが設けられている請求項１〜２のいずれかに記載の電力線通信モデム。
【発明の詳細な説明】
【技術分野】
【０００１】
本発明は電力線通信モデムに関する。
【背景技術】
【０００２】
電力線通信（ＰＬＣ:Power Line Communication）は、変電所から各家庭に電力を送る配電線や家庭内に張り巡らされている屋内配電線などの電力線を信号伝送路として通信を行う技術であり、前記電力線にデータを重畳するとともに当該電力線からデータを取り出すために電力線通信モデム（以下、「ＰＬＣモデム」ともいう）が使用される。
【０００３】
このＰＬＣモデムを屋内配電線に接続するに際しては、室内の壁コンセントなどのコンセント差込口（接続口）に、当該ＰＬＣモデムに付設されている電源プラグを差し込む必要があり、前記コンセント差込口の１つを専用することになる。
【発明の開示】
【発明が解決しようとする課題】
【０００４】
このとき、コンセントの接続口に余裕がある場合は特に問題とならないが、ＰＬＣモデムを接続したいコンセントに既に他の電気機器が接続されており接続口に余裕がない場合は、例えば２又プラグを増設して口数を増やすか、又は余裕のある他のコンセントに接続する必要があり、煩わしい。
【０００５】
本発明は、このような事情に鑑みてなされたものであり、２又プラグなどを用いることなく所望のコンセントへの接続を可能にするＰＬＣモデムを提供することを目的としている。
【課題を解決するための手段】
【０００６】
本発明の第１の観点に係るＰＬＣモデムは、電力線にデータを重畳して通信を行うためのＰＬＣモデムであって、電力線通信のための回路部を収納するハウジングの一壁面に、コンセント差込口に差し込み可能なプラグが設けられるとともに、当該ハウジングの他の壁面に、サービスコンセントの差込口が設けられていることを特徴としている。
【０００７】
本発明の第１の観点に係るＰＬＣモデムは、室内の壁コンセントなどに直接差込可能であり、また電力線通信のための回路部を収納するハウジングの壁面にサービスコンセントの差込口が設けられている。したがって、前記壁コンセントなどの接続口の１つを占有することなくＰＬＣモデムを電力線に接続することができる。換言すれば、接続しようとするコンセントが既に他の電気機器で占有されている場合であっても、コンセント接続口の１つをＰＬＣモデム用とし、この接続口の接続されていた電気機器を当該ＰＬＣモデムのサービスコンセントに接続し直すことにより、２又プラグなどを用いることなくＰＬＣモデムを所望のコンセントに接続することができる。また、コンセントに直接差し込むことができるので、ＰＬＣモデムを電力線の直近で当該電力線に接続させることができ、テーブルタップなどを介して接続する場合よりも効率よくＰＬＣ信号を電力線に注入することができる。その結果、通信の品質を向上させるとともに、伝送距離の長距離化を実現させることができる。
【０００８】
また、本発明の第２の観点に係るＰＬＣモデムは、電力線にデータを重畳して通信を行うためのＰＬＣモデムであって、電力線通信のための回路部を収納するハウジングの一壁面から電源コードが延設されるとともに当該電源コードの先端に電源プラグが設けられており、且つ、前記ハウジングの他の壁面に、サービスコンセントの差込口が設けられていることを特徴としている。
【０００９】
本発明の第２の観点に係るＰＬＣモデムは、電力線通信のための回路部を収納するハウジングから電源コードが延設されたテーブルタップ型のＰＬＣモデムであり、当該ハウジングの壁面にサービスコンセントの差込口が設けられている。したがって、壁コンセントなどの接続口の１つを占有することなくＰＬＣモデムを電力線に接続することができる。
【００１０】
前記サービスコンセントの差込口と電源との間に、電力線通信で使用する周波数帯のノイズを遮断又は減衰させるためのノイズフィルターが設けられているのが好ましい。この場合、サービスコンセントの差込口と電源との間にノイズフィルターが設けられているので、サービスコンセントに接続される電気機器からのノイズを前記ノイズフィルターで遮断又は減衰させることができる。これにより、ＰＬＣ通信の品質に影響を与えることなく、電気機器を接続することができる。
【発明の効果】
【００１１】
本発明のＰＬＣモデムによれば、２又プラグなどを用いることなく所望のコンセントへ接続することができる。
【発明を実施するための最良の形態】
【００１２】
以下、添付図面を参照しつつ、本発明のＰＬＣモデムの実施の形態を詳細に説明する。
【００１３】
図１は本発明の一実施の形態に係るＰＬＣモデムＭ１の斜視説明図であり、図２は，このＰＬＣモデムＭ１の内部回路の説明図である。ＰＬＣモデムＭ１は、室内の壁などに配設された電源コンセント（図示せず）に直接差し込まれて使用され、略直方体形状のモデム本体（ハウジング）１の一壁面に、前記電源コンセントの差込口に差し込まれる一対のプラグ（金具）２が配設されている。また、前記一対のプラグ２が設けられる面と反対側の壁面１ａには、イーサネット側ケーブル（図示せず）が接続されるイーサコネクタ３が配設されている。さらに、前記モデム本体１の他の壁面１ｂには、サービスコンセントのプラグ差込口４が設けられている。
【００１４】
プラグ本体１の内部には、図２に示される構成の内部回路が設けられている。この内部回路には、ＰＬＣ通信を行うためのＰＬＣモデム回路部５が含まれており、このＰＬＣモデム回路部５は、電源部及びＰＬＣモデム部を備えている。電源部は、前記プラグ２を介して供給される１００Ｖの商用電源を、ＰＬＣモデム部が動作するのに必要な電圧、例えば直流５Ｖに変換して当該ＰＬＣモデム部に出力している。また、ＰＬＣモデム部は、前記イーサコネクタ３から入力されたデータを変調して電力線の電圧・電流に重畳させて電力線側に送出するとともに、電力線から入力された、データ信号が重畳された商用電源に対して、データ信号を分離、復調して前記イーサコネクタ３を介してパソコンなどの情報処理装置に送信する。かかる電源部及びＰＬＣモデム部としては、従来から用いられている構成を適宜採用することができる。
【００１５】
本実施の形態に係るＰＬＣモデムＭ１の内部回路には、一般機器において発生するノイズが電源コンセントを介して電力線に流れるのを遮断するためのノイズフィルター６が設けられており、このノイズフィルター６は、一対のコイル７と、コンデンサ８とで構成されている。また、一方のコイルの入力側には、ヒューズ９が配設されている。このヒューズ９は、前記コイル７に定格以上の電流が流れて異常発熱しないようにするため、およびコンデンサ８が劣化によりブレークダウンするなどの障害が発生したときに、障害部分を電源系から切り離すことを目的としており、また、雷サージなどの侵入時にコンデンサ８がブレークダウンするのを防止することも目的としている。なお、前記ヒューズ９に代えて、ブレーカを用いることも可能であるが、ブレーカの場合、ＰＬＣモデムＭ１が大型化し、高価格化するという不都合がある。また、前記雷サージ対策として、一対のコイルの入力側線路にアレスタ１０を挿入することも考えられるが、このアレスタ１０は、大電流侵入時には破壊する可能性があることや、経年劣化が考えられるため、ヒューズ９を入れておくことで、アレスタ１０に障害が発生したような場合にも障害発生部位を切り離し、ＰＬＣ通信はそのまま機能するように維持することができる。
【００１６】
本実施の形態に係るＰＬＣモデムＭ１は、モデム本体１の壁面にサービスコンセントの差込口が設けられていることから、壁コンセントなどの接続口の１つを占有することなくＰＬＣモデムＭ１を電力線に接続することができる。また、コンセントに直接差し込むことができるので、ＰＬＣモデムＭ１を電力線の直近で当該電力線に接続させることができ、テーブルタップなどを介して接続する場合よりも効率よくＰＬＣ信号を電力線に注入することができる。その結果、通信の品質を向上させるとともに、伝送距離の長距離化を実現させることができる。
【００１７】
図３は本発明の他の実施の形態に係るＰＬＣモデムＭ２の斜視説明図であり、図４は，このＰＬＣモデムＭ２の内部回路の説明図である。ＰＬＣモデムＭ２は、電力線通信のための回路部を収納するハウジングから電源コードが延設されたテーブルタップ型のＰＬＣモデムであり、略直方体形状のモデム本体（ハウジング）１１の一壁面１１ａから電源コード１２ａが延設されるとともに当該電源コード１２ａの先端に電源プラグ１２ｂが設けられている。また、前記モデム本体１１の他の壁面１１ｂには、イーサネット側ケーブル（図示せず）が接続されるイーサコネクタ１３、及びサービスコンセントのプラグ差込口１４が設けられている。
【００１８】
プラグ本体１の内部には、図４に示される構成の内部回路が設けられている。この内部回路には、ＰＬＣ通信を行うためのＰＬＣモデム回路部１５が含まれており、このＰＬＣモデム回路部１５の構成は前記ＰＬＣモデム回路部５と同様であるので、その説明を省略する。
【００１９】
本実施の形態に係るＰＬＣモデムＭ２の内部回路には、一般機器において発生するノイズが電源コンセントを介して電力線に流れるのを遮断するためのノイズフィルター１６が設けられており、このノイズフィルター１６は、前記ノイズフィルター６とは異なり、二対のコイル１７ａ、１７ｂと、各対のコイル間に挿入されたコンデンサ１８とで構成されている。また、一方のコイルの入力側には、ヒューズ１９が配設されている。このヒューズ１９は、前記コイル１７ａ、１７ｂに定格以上の電流が流れて異常発熱しないようにするため、およびコンデンサ１８が劣化によりブレークダウンするなどの障害が発生したときに、障害部分を電源系から切り離すことを目的としており、また、雷サージなどの侵入時にコンデンサ１８がブレークダウンするのを防止することも目的としている。
【００２０】
本実施の形態に係るＰＬＣモデムＭ２は、モデム本体１１の壁面にサービスコンセントの差込口１４が設けられていることから、壁コンセントなどの接続口の１つを占有することなくＰＬＣモデムＭ２を電力線に接続することができる。
【００２１】
以上の実施の形態では、サービスコンセントの数を１としているが、本発明はこれに限定されるものではなく、２以上であってもよい。
【００２２】
なお、今回開示された実施の形態はすべての点において単なる例示であって制限的なものではないと考えられるべきである。本発明の範囲は、前記した意味ではなく、特許請求の範囲によって示され、特許請求の範囲と均等の意味及び範囲内のすべての変更が含まれることが意図される。
【図面の簡単な説明】
【００２３】
【図１】本発明のＰＬＣモデムの一実施の形態の斜視説明図である。
【図２】図１に示されるＰＬＣモデムの内部回路の説明図である。
【図３】本発明のＰＬＣモデムの他の実施の形態の斜視説明図である。
【図４】図１に示されるＰＬＣモデムの内部回路の説明図である。
【符号の説明】
【００２４】
１        モデム本体
３        イーサコネクタ
４        プラグ差込口
５        ＰＬＣモデム回路部
６        ノイズフィルター
７        コイル
８        コンデンサ
１１        モデム本体
１２        電源コード
１３        イーサコネクタ
１４        プラグ差込口
１５        ＰＬＣモデム回路部
１６        ノイズフィルター
１７        コイル
１８        コンデンサ
Ｍ１、Ｍ２  ＰＬＣモデム
【図１】
2008236291.tif 000003
【図２】
2008236291.tif 000004
【図３】
2008236291.tif 000005
【図４】
2008236291.tif 000006